(57)【特許請求の範囲】
【請求項１】
建物の開口部に固定して設けられる枠体と、前記枠体内に配設され、前記枠体に左右方向にスライド移動可能に支持される障子と、前記障子に対して屋外側に配設され、左右方向にスライド移動可能に前記枠体に支持される網戸と、前記網戸の自走を防止するための網戸自走防止機構とを備えてなる網戸付きサッシであって、
前記網戸自走防止機構が、前記障子の縦框に対してビスにて固設される固定部と、該固定部から屋外側に突設され、前記網戸の縦框が当接することによって前記網戸のスライド移動を規制する戸当り部と、を有する本体部材を備えており、
前記固定部は、前記障子の縦框の屋外側を向く面に対して後付けで取付可能に構成されていることを特徴とする網戸付きサッシ。
【請求項２】
請求項１記載の網戸付きサッシにおいて、
前記網戸自走防止機構が、前記戸当り部を被覆する被覆部材を備えている網戸付きサッシ。
【請求項３】
請求項１または請求項２記載の網戸付きサッシにおいて、
前記網戸自走防止機構が、屋外側突出方向先端に設けられ、前記網戸の縦框が当接するとともに、前記網戸の屋外方向の移動を規制するように前記網戸の縦框に係合する係合部を備えて構成されている網戸付きサッシ。
【請求項４】
請求項１〜請求項３のいずれか一項に記載の網戸付きサッシにおいて、
前記建物の開口部の左右方向の両側に固定した固定窓と、引き分け式の２枚の前記障子及び２枚の前記網戸を備えて構成されている網戸付きサッシ。
【発明の詳細な説明】
【技術分野】
【０００１】
本発明は、網戸付きサッシに関する。
【背景技術】
【０００２】
従来、建物の開口部に設置されるサッシ（サッシ窓）には、周縁部に枠体を固定し、この枠体内に外障子と内障子をそれぞれ左右方向にスライド移動可能に、且つ互いに屋内外方向に摺動可能に納めてなる引き違いサッシが多用されている。また、外障子のさらに屋外側に左右方向にスライド移動可能に、且つ外障子に対して摺動可能に網戸を設けて構成することが多い。
【０００３】
一方、このような引き違いサッシでは、例えば強風などの外力が作用し勝手に動くおそれがある。
【０００４】
これに対し、網戸の縦框に上下方向にスライド可能に設けられた操作部と、網戸の縦框に設けられ、網戸を閉じた状態で操作部を上下方向にスライド移動させることにより枠体の縦枠に係合（脱離）する係合部とを備えた網戸自走防止機構（ロック部材）を設けて構成したものが実用化されている（例えば、特許文献１参照）。
【０００５】
そして、この引き違いサッシにおいては、操作部を操作して係合部を枠体の縦枠に係合させることで網戸を縦枠に固定することができ、網戸が強風等によって勝手に動いてしまうことを防止することができる。
【先行技術文献】
【特許文献】
【０００６】
【特許文献１】特開２００７−１７７４５８号公報
【発明の概要】
【発明が解決しようとする課題】
【０００７】
一方、上記従来の網戸自走防止機構においては、網戸の自走を防止するためにその都度ロック部材の操作部を操作して係合部を枠体の縦枠に係合させる必要がある。このため、この操作を忘れるなどし、網戸が強風等によって勝手に動いてしまうおそれがある。
【０００８】
また、例えば、両側にはめ殺しのＦＩＸ窓（固定窓）を設け、これらＦＩＸ窓の間の開口部を開閉するように２枚の障子を設けて構成する４枚建ての引き分け窓などでは、障子やＦＩＸ窓に対して屋外側に網戸が配設されるため、ロック部材の係合部を係合させる部位がなく、上記従来の網戸自走防止機構を適用することができない。
【０００９】
本発明は、上記事情に鑑み、簡便に且つ確実に網戸の自走を防止できる網戸付きサッシを提供することを目的とする。
【課題を解決するための手段】
【００１０】
上記の目的を達するために、この発明は以下の手段を提供している。
【００１１】
本発明の網戸付きサッシは、建物の開口部に固定して設けられる枠体と、前記枠体内に配設され、前記枠体に左右方向にスライド移動可能に支持される障子と、前記障子に対して屋外側に配設され、左右方向にスライド移動可能に前記枠体に支持される網戸と、前記網戸の自走を防止するための網戸自走防止機構とを備えてなる網戸付きサッシであって、前記網戸自走防止機構が、前記障子の縦框に対してビスにて固設される固定部と、該固定部から屋外側に突設され、前記網戸の縦框が当接することによって前記網戸のスライド移動を規制する戸当り部と、を有する本体部材を備えており、前記固定部は、前記障子の縦框の屋外側を向く面に対して後付けで取付可能に構成されていることを特徴とする。
また、本発明の網戸付きサッシにおいては、前記網戸自走防止機構が、前記戸当り部を被覆する被覆部材を備えていることが望ましい。
【００１２】
また、本発明の網戸付きサッシにおいては、前記網戸自走防止機構が、屋外側突出方向先端に設けられ、前記網戸の縦框が当接するとともに、前記網戸の屋外方向の移動を規制するように前記網戸の縦框に係合する係合部を備えて構成されていることが望ましい。
【００１３】
さらに、本発明の網戸付きサッシにおいては、前記建物の開口部の左右方向の両側に固定した固定窓と、引き分け式の２枚の前記障子及び２枚の前記網戸を備えて構成されていてもよい。
【発明の効果】
【００１４】
本発明の網戸付きサッシにおいては、障子の縦框に、屋外側（網戸側）に突出する網戸自走防止機構の戸当り部が設けられていることにより、障子を閉じた状態で、網戸の縦框が戸当り部に当たり網戸の左右方向の移動を規制することができる。
【００１５】
これにより、障子を閉じると、網戸自走防止機構の戸当り部によって網戸のスライド移動を規制することができ、強風などの外力が作用して網戸が勝手に動くことを防止できる。
【００１６】
また、障子を閉じるだけで自動的に網戸の縦框の側近に戸当り部を配設させ、網戸のスライド移動を規制することができるため、従来のロック部材のような特別な操作を不要にし、簡便且つ確実に網戸の自走を防止できる。
【００１７】
また、本発明の網戸付きサッシにおいては、網戸自走防止機構が網戸の縦框に係合する係合部を備えて形成されていることにより、障子を閉じた状態で係合部が網戸の縦框に係合し、網戸の屋外方向の移動を規制することができる。
【００１８】
これにより、戸当り部による網戸のスライド移動の規制に加え、網戸が外側に動いて外れるようなことも係合部によって確実に防止することができる。
【００１９】
また、本発明の網戸付きサッシにおいては、建物の開口部の両側に固定窓（ＦＩＸ窓）を設け、これら固定窓の間に障子を設けた４枚建ての引き分け窓などであっても、上記の網戸自走防止機構によって網戸の自走を簡便且つ確実に防止することが可能になる。
すなわち、従来の網戸自走防止機構（ロック部材）を適用することが困難で、網戸の自走防止手段がなかったサッシ窓に対しても好適に網戸自走防止対策を講じることが可能になる。
【図面の簡単な説明】
【００２０】
【図１】本発明の一実施形態に係る網戸付きサッシを示す正面図である。
【図２】本発明の一実施形態に係る網戸付きサッシを示す横断面図であり、障子を開いた状態を示す図である。
【図３】本発明の一実施形態に係る網戸付きサッシを示す横断面図であり、障子を閉じた状態を示す図である。
【図４】本発明の一実施形態に係る網戸付きサッシの網戸自走防止機構を示す斜視図である。
【図５】本発明の一実施形態に係る網戸付きサッシの網戸自走防止機構を示す正面図である。
【図６】図５のＸ１−Ｘ１線矢視図であり、本発明の一実施形態に係る網戸付きサッシの網戸自走防止機構を示す断面図である。
【図７】本発明の一実施形態に係る網戸付きサッシの網戸自走防止機構の本体部材を示す斜視図である。
【図８】本発明の一実施形態に係る網戸付きサッシの網戸自走防止機構の被覆部材を示す斜視図である。
【図９】本発明の一実施形態に係る網戸付きサッシの変更例を示す横断面図であり、障子を開いた状態を示す図である。
【図１０】本発明の一実施形態に係る網戸付きサッシの変更例を示す横断面図であり、障子を閉じた状態を示す図である。
【発明を実施するための形態】
【００２１】
以下、図１から図８を参照し、本発明の一実施形態に係る網戸付きサッシについて説明する。ここで、本実施形態は、強風などの外力によって網戸が自走することを防止するための網戸自走防止機構を備えた網戸付きサッシに関するものである。
【００２２】
本実施形態の網戸付きサッシ（網戸付きサッシ窓）Ａは、図１に示すように、建物の躯体の開口部１の両側にはめ殺しのＦＩＸ窓（固定窓）２、３を設け、これらＦＩＸ窓２、３の間の開口部１を開閉するように２枚の障子４、５を設け、さらに障子４、５の屋外側（屋内外方向Ｔ１外側）に網戸６、７を設けて構成されている。
【００２３】
また、本実施形態の網戸付きサッシＡは、図１及び図２に示すように、２枚の障子４、５及び２枚の網戸６、７を一本溝やレールに沿って左右にスライド移動して引き分ける引き分け窓であり、且つ２枚の障子（外障子）４、５がＦＩＸ窓（内障子）２、３に対して屋外側でスライド移動する外動引き分け窓として構成されている。
【００２４】
具体的に、本実施形態の網戸付きサッシＡは、建物の開口部１の外周縁に枠体８が固設され、建物の開口部１の両側の枠体８内にＦＩＸ窓２、３が設けられている。また、一対のＦＩＸ窓２、３の間の開口部１を開閉するように、枠体８内に２枚の障子４、５がそれぞれ左右方向Ｔ２にスライド移動可能に納められている。
【００２５】
さらに、本実施形態の障子４、５は、上框と下框と左右の縦框４ａ、５ａからなる方形枠状の框と、框の内部に収められた複層ガラスとを備えて形成されている。なお、框の内部には、単層ガラス、合わせガラスなどの他の形態のものを納めても勿論構わない。
【００２６】
また、障子４、５は、障子４、５の上框に断面凹部形状の案内溝が形成され、枠体８の上枠に形成された上部レールに案内溝を係合させて配設されている。さらに、下框に戸車が収納され、枠体８の下枠に設けられた断面凸状の下部レール上に下框及び戸車を係合させて配設されている。これにより、障子４、５は、枠体８の上部レール及び下部レースに案内されて左右方向Ｔ２にスライド移動可能に設けられている。
【００２７】
本実施形態の網戸６、７は、上框、下框、左右の縦框６ａ、７ａで方形枠状に形成され、この框の内部に網を張って形成されている。また、網戸６、７の上框には断面凹部形状の案内溝が形成され、枠体８の屋外側に設けられた網戸用上部レールに案内溝を係合させて配設されている。さらに、下框に戸車が収納され、下枠に設けられた断面凸状の網戸用下部レール上に下框及び戸車を係合させて配設されている。これにより、網戸６、７は、網戸用上部レール及び網戸用下部レースに案内されて左右方向Ｔ２にスライド移動可能に設けられ、且つ障子４、５に対して屋外側に配設されるとともに左右方向Ｔ２に摺動可能に配設されている。
なお、障子４、５を納める障子用枠体の屋外側に網戸用枠体を取り付け、この網戸用枠体に網戸６、７をスライド移動可能に支持させるようにしてもよい。
【００２８】
一方、本実施形態の網戸付きサッシＡの網戸自走防止機構１０は、図２、図３、図４から図８に示すように、金属製の本体部材１１と、樹脂製の被覆部材１２とを備えて構成されている。
【００２９】
また、本体部材１１は、障子４、５の縦框４ａ、５ａにビス留めなどして固着する固定部１３と、固定部１３から屋外側（網戸６、７側）に突出する戸当り部１４とを備えて形成されている。
【００３０】
被覆部材１２は、本体部材１１の戸当り部１４を被覆するように、戸当り部１４を嵌め込んで一体に取り付けられる。また、本実施形態の被覆部材１２は、本体部材１１に取り付けた状態で戸当り部１４の先端側に位置する部分に、横方向に突出し、網戸６、７の縦框６ａ、７ａに係合する係合部１５が設けられている。
【００３１】
そして、上記構成からなる本実施形態の網戸付きサッシＡにおいては、図３に示すように、障子４、５と網戸６、７を閉じた状態にすると、網戸自走防止機構１０の戸当り部１４が網戸６、７の縦框６ａ、７ａの近傍に配設され、網戸自走防止機構１０の戸当り部１４に網戸６、７の縦框６ａ、７ａが当接することによって網戸６、７の左右方向Ｔ２のスライド移動が規制される。
【００３２】
また、本実施形態では、障子４、５と網戸６、７を閉じた状態にすると、網戸自走防止機構１０の係合部１５が網戸６、７の縦框６ａ、７ａに係合し、網戸６、７の屋外方向の移動も規制される。
【００３３】
したがって、本実施形態の網戸付きサッシＡにおいては、障子４、５の縦框４ａ、５ａに、屋外側（網戸６、７側）に突出する網戸自走防止機構１０の戸当り部１４が設けられていることにより、障子４、５を閉じた状態で、網戸６、７の縦框６ａ、７ａが戸当り部１４に当たり網戸６、７の左右方向Ｔ２の移動を規制することができる。
【００３４】
これにより、障子４、５を閉じると、網戸自走防止機構１０の戸当り部１４によって網戸６、７のスライド移動を規制することができ、強風などの外力が作用して網戸６、７が勝手に動くことを防止できる。
【００３５】
また、障子４、５を閉じるだけで自動的に網戸６、７の縦框６ａ、７ａの側近に戸当り部１４を配設させ、網戸６、７のスライド移動を規制することができる。このため、従来のロック部材のような特別な操作を不要にし、簡便且つ確実に網戸６、７の自走を防止できる。
【００３６】
また、本実施形態の網戸付きサッシＡにおいては、網戸自走防止機構１０が網戸６、７の縦框６ａ、７ａに係合する係合部１５を備えて形成されていることにより、障子４、５を閉じた状態で係合部１５が網戸６、７の縦框６ａ、７ａに係合し、網戸６、７の屋外方向の移動を規制することができる。
【００３７】
これにより、戸当り部１４による網戸６、７のスライド移動の規制に加え、網戸６、７が外側に動いて外れるようなことも係合部１５によって確実に防止することができる。
【００３８】
さらに、本実施形態では、網戸自走防止機構１０が金属製の本体部材１１の戸当り部１４に樹脂製の被覆部材１２を取り付けて構成されているため、樹脂製の被覆部材１２に網戸６、７の縦框６ａ、７ａを当接させることができる。これにより、戸当り部１４や係合部１５に網戸６、７の縦框６ａ、７ａを当接させることによって網戸６、７の移動を規制するように構成した場合であっても、網戸６、７の縦框６ａ、７ａに傷など（損傷）が生じることを防止できる。
【００３９】
そして、本実施形態の網戸付きサッシＡにおいては、建物の開口部１の両側にＦＩＸ窓２、３を設け、これらＦＩＸ窓２、３の間の開口部１を開閉するように障子４、５を設けた４枚建ての引き分け窓であっても、本実施形態の網戸自走防止機構１０によって網戸６、７の自走を簡便且つ確実に防止することが可能になる。
すなわち、従来の網戸自走防止機構（ロック部材）を適用することが困難で、網戸の自走防止手段がなかったサッシ窓に対しても好適に網戸自走防止対策を講じることが可能になる。
【００４０】
以上、本発明に係る網戸付きサッシの一実施形態について説明したが、本発明は上記の一実施形態に限定されるものではなく、その趣旨を逸脱しない範囲で適宜変更可能である。
【００４１】
例えば、図９、図１０に示すように、網戸自走防止機構１０の係合部１５が網戸６、７の縦框６ａ、７ａの見付け面に係合するように構成してもよく、係合部１５によって網戸６、７の屋外方向の移動を規制することが可能であれば、網戸自走防止機構１０の係合部１５が網戸６、７の縦框６ａ、７ａに係合する位置などを限定する必要はない。
【００４２】
また、本実施形態では、網戸付きサッシＡが２枚のＦＩＸ窓２、３と２枚の障子４、５、２枚の網戸６、７を備えた４枚建ての引き分け式のサッシ（引き分けサッシ窓）であるものとして説明を行ったが、引き違いサッシ窓、片引きサッシ窓など、他の形式の網戸付きサッシに本発明を適用しても構わない。そして、この場合においても勿論、本実施形態と同様の作用効果を得ることが可能である。
【符号の説明】
【００４３】
１      建物の開口部
２      ＦＩＸ窓（固定窓：内障子）
３      ＦＩＸ窓（固定窓：内障子）
４      障子（外障子）
４ａ    縦框
５      障子（外障子）
５ａ    縦框
６      網戸
６ａ    縦框
７      網戸
７ａ    縦框
８      枠体
１０    網戸自走防止機構
１１    本体部材
１２    被覆部材
１３    固定部
１４    戸当り部
１５    係合部
Ａ      網戸付きサッシ
Ｔ１    屋内外方向
Ｔ２    左右方向
【図１】
0006480232.tif 000002
【図２】
0006480232.tif 000003
【図３】
0006480232.tif 000004
【図４】
0006480232.tif 000005
【図５】
0006480232.tif 000006
【図６】
0006480232.tif 000007
【図７】
0006480232.tif 000008
【図８】
0006480232.tif 000009
【図９】
0006480232.tif 000010
【図１０】
0006480232.tif 000011